Podtech/llm-jp-corpus-v4-ja_patent huggingface dataset:
【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
車体の前方にレッグシールドを備え、このレッグシールドにバッテリを配置した自動二輪車のバッテリ配置構造において、
前記バッテリを複数のバッテリで構成し、各バッテリを相互に離間して上下に配置したことを特徴とする自動二輪車のバッテリ配置構造。
【請求項２】
前記複数のバッテリのうちの最上部に位置する上側バッテリを前傾に配置し、最下部に位置する下側バッテリを後傾に配置して、前記複数のバッテリ全体を、車体側面視で上下のバッテリの略中央を車体後方に凸とする仮想屈曲線に沿わせて配置したことを特徴とする請求項１に記載の自動二輪車のバッテリ配置構造。
【請求項３】
前記レッグシールドには、前記複数のバッテリの左右側部に、動力発生機関を冷却するラジエータを配置したことを特徴とする請求項１又は２に記載の自動二輪車のバッテリ配置構造。
【請求項４】
前記自動二輪車は、燃料電池で発生する電力を電源とするモータを駆動する動力発生機関を有し、前記動力発生機関を前記複数のバッテリの後方に配置して、前記複数のバッテリ間を通過した走行風が前記動力発生機関に至る走行風通路を確保したことを特徴とする請求項１乃至３のいずれか一項に記載の自動二輪車のバッテリ配置構造。
【請求項５】
電力を調整する電圧調整器を備え、
前記電力調整器は、車体の略中央に配置され、かつ、側面視で、前記上下に離間して配置される前記バッテリの上下方向間に配置されることを特徴とする請求項１乃至４のいずれか一項に記載の自動二輪車のバッテリ配置構造。
【請求項６】
前記左右のラジエータの幅方向間に配置され、前記ラジエータに冷却水を供給するウォータポンプを備え、
前記ウォータポンプは、側面視で、前記上下に離間して配置される前記バッテリの上下方向間に配置されることを特徴とする請求項３に記載の自動二輪車のバッテリ配置構造。
【手続補正２】
【補正対象書類名】明細書
【補正対象項目名】０００７
【補正方法】変更
【補正の内容】
【０００７】
この場合において、前記自動二輪車は、燃料電池で発生する電力を電源とするモータを駆動する動力発生機関を有し、前記動力発生機関を前記複数のバッテリの後方に配置して、前記複数のバッテリ間を通過した走行風が前記動力発生機関に至る走行風通路を確保することが好ましい。この構成によれば、走行風により燃料発電機関の冷却効率を上げることが可能になり、また、車体内の換気も促進することができる。
また、電力を調整する電圧調整器を備え、前記電力調整器は、車体の略中央に配置され、かつ、側面視で、前記上下に離間して配置される前記バッテリの上下方向間に配置されるようにしてもよい。また、前記左右のラジエータの幅方向間に配置され、前記ラジエータに冷却水を供給するウォータポンプを備え、前記ウォータポンプは、側面視で、前記上下に離間して配置される前記バッテリの上下方向間に配置されるようにしてもよい。
【手続補正３】
【補正対象書類名】明細書
【補正対象項目名】０００８
【補正方法】変更
【補正の内容】
【０００８】
本発明では、レッグシールドに配置されるバッテリを、複数のバッテリで構成し、各バッテリを相互に離間して上下に配置したので、バッテリの配置自由度が向上し、バッテリ全体の重心位置を容易に変更することができ、また、バッテリ間に走行風を通過させ易くすることができる。
また、複数のバッテリのうちの最上部に位置する上側バッテリを前傾に配置し、最下部に位置する下側バッテリを後傾に配置して、複数のバッテリ全体を、車体側面視で上下のバッテリの略中央を車体後方に凸とする仮想屈曲線に沿わせて配置したので、バッテリ全体の重心位置を前輪に近づけやすくなる。
また、レッグシールドには、前記複数のバッテリの左右側部に、動力発生機関を冷却するラジエータを配置したので、バッテリおよびラジエータを効率よくレイアウトでき、ラジエータの冷却効率を十分に確保しつつ、レッグシールドの後方へ走行風を流すことができる。
また、自動二輪車は、燃料電池で発生する電力を電源とするモータを駆動する動力発生機関を有し、この動力発生機関を複数のバッテリの後方に配置して、複数のバッテリ間を通過した走行風が動力発生機関に至る走行風通路を確保したので、燃料発電機関の冷却効率を上げることが可能になり、また、車体内の換気も促進することができる。
また、電力を調整する電圧調整器を備え、電力調整器は、車体の略中央に配置され、かつ、側面視で、上下に離間して配置されるバッテリの上下方向間に配置されるようにすれば、バッテリ間を通過した走行風が電圧調整器の周囲を流れ、電圧調整器を冷却することができる。
【手続補正４】
【補正対象書類名】図面
【補正対象項目名】図３
【補正方法】変更
【補正の内容】
【図３】
2008247166.tif 000001
【手続補正書】
【提出日】平成21年10月29日(2009.10.29)
【手続補正１】
【補正対象書類名】明細書
【補正対象項目名】００２４
【補正方法】変更
【補正の内容】
【００２４】
また、第２部材９８は断面視Ｌ字状の板状部材であり、第１部材９７と接続する第１面１０３と、ウインドスクリーン５１と接続する第２面１０４とを有している。第２部材９８のうち第１面１０３には、長手方向中央部から下端側に亘って設けられた長穴部１０５と、第１面１０３の端辺中央部に切り欠かれた第１凹部１０６と、第１面１０３の端辺上端側（車体後方側）に切り欠かれた第２凹部１０７とが形成されている。また、第１凹部１０６及び第２凹部１０７のそれぞれは上端側に向かってえぐられた係止部１０６Ａ及び係止部１０７Ａを有している。そして、これら係止部１０６Ａ、１０７Ａを有する第１、第２凹部１０６、１０７のそれぞれは、第１部材９７の第１、第２凸部１０１、１０２のそれぞれと係合可能となっている。更に、第２部材９８の長穴部１０５と第１凹部１０６は、第１部材９７の第１、第２凸部１０１、１０２のそれぞれと係合可能となっている。
【手続補正２】
【補正対象書類名】図面
【補正対象項目名】図８
【補正方法】変更
【補正の内容】
【図８】
2008247185.tif 000001
【手続補正書】
【提出日】平成21年9月17日(2009.9.17)
【手続補正１】
【補正対象書類名】特許請求の範囲
【補正対象項目名】全文
【補正方法】変更
【補正の内容】
【特許請求の範囲】
【請求項１】
イメージング管（３３）のカソード（３８）であって、
アノード（４４）上の焦点（４６）に電子ビーム（９８）を放射するエミッタ（７４）と、
開口部（８０）と、
前記電子ビーム（９８）の形成に寄与する前記エミッタ（７４）の第２の側面（７８）上に電気的に配置され、前記開口部（８０）に対して差異的にバイアスがかけられた背面部材（１１２）と、
前記背面部材（７６）と前記アノード（４４）の間に電気的に配置され、前記アノード（４４）上の焦点（４６）の位置決めを調整する少なくとも１つの偏向（８２）電極ペアと、
を含むカソード（３８）。
【請求項２】
前記エミッタ（７４）の第１の側面と前記アノード（４４）との間に電気的に結合された前面部材（７０）を更に含み、
前記アノード（４４）は、前記開口部（８０）を備え、前記電子ビーム（９８）の形成に寄与する請求項１に記載のカソード（３８）。
【請求項３】
前記少なくとも１つの偏向電極（８２）ペアは、
エミッタ中心線（１００）の第１の側面に電気的に配置された第１側面ステアリング電極（８６）と、
エミッタ中心線（１００）の第２の側面に電気的に配置された第２側面ステアリング電極（９０）と、
を含むことを特徴とする請求項１に記載のカソード（３８）。
【請求項４】
前記背面部材（７６）と前面部材（７０）との間に結合された複数の絶縁体（１２４）を更に含み、前記カソード（３８）の少なくとも１つの構成要素を絶縁することを特徴とする請求項１に記載のカソード（３８）。
【請求項５】
前記少なくとも１つの偏向電極（８２）ペアは、前記電子ビーム（９８）を前記エミッタ（７４）から非対称的に抽出するようにバイアスをかけられることを特徴とする請求項１に記載のカソード（３８）。
【請求項６】
前記少なくとも１つの偏向電極（８２）ペアが、
偏向電極の第１のペア（１１６）と、
偏向電極の第２のペア（１１８）と、
を含むことを特徴とする請求項１に記載のカソード（３８）。
【請求項７】
イメージング管（３３）のカソード（３８）であって、
アノード（４４）上の焦点（４６）に電子ビーム（９８）を放射するエミッタ（７４）と、
前記電子ビーム（９８）の形成に寄与する前記エミッタ（７４）の第２の側面（７８）上に電気的に配置された背面部材（１１２）と、
前記背面部材（７６）と前記アノード（４４）の間に電気的に配置され、前記アノード（４４）上の焦点（４６）の位置決めを調整する少なくとも１つの偏向（８２）電極ペアと、
を含み、
前記少なくとも１つの偏向電極（８２）ペアと前記背面部材（１１２）は、前記電子ビーム（９８）が調整されるための電流が生じるようにバイアスをかけられる、
カソード（３８）。
【請求項８】
イメージング管（３３）のカソード（３８）であって、
アノード（４４）上の焦点（４６）に電子ビーム（９８）を放射するエミッタ（７４）と、
前記電子ビーム（９８）の形成に寄与する前記エミッタ（７４）の第２の側面（７８）上に電気的に配置された背面部材（１１２）と、
前記背面部材（７６）と前記アノード（４４）の間に電気的に配置され、前記アノード（４４）上の焦点（４６）の位置決めを調整する少なくとも１つの偏向（８２）電極ペアと、
を含み、
前記少なくとも１つの偏向電極（８２）ペアと前記背面部材（１１２）は、前記電子ビーム（９８）を停止するための電流が生じるようにバイアスをかけられる、
カソード（３８）。
【請求項９】
イメージング管（３３）のカソード（３８）であって、
アノード（４４）上の焦点（４６）に電子ビーム（９８）を放射するエミッタ（７４）と、
前記電子ビーム（９８）の形成に寄与する前記エミッタ（７４）の第２の側面（７８）上に電気的に配置された背面部材（１１２）と、
前記背面部材（７６）と前記アノード（４４）の間に電気的に配置され、前記アノード（４４）上の焦点（４６）の位置決めを調整する少なくとも１つの偏向（８２）電極ペアと、
を含み、
前記少なくとも１つの偏向電極（８２）ペアが、
偏向電極の第１のペア（１１６）と、
偏向電極の第２のペア（１１８）と、
を含むことを特徴とするカソード（３８）。
【請求項１０】
前記少なくとも１つの偏向電極（８２）ペアが、前記焦点（４６）の幅方向の位置と幅を調整する、請求項９に記載のカソード（３８）。
【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
遊技機ホールのパチンコ機用の島設備に設置可能に方形枠状に形成された外枠の前側に、ヒンジ機構によって本体枠が開閉可能に装着され、前記本体枠の略中央部に、前後方向に開口する方形枠状の遊技ユニット装着部が設けられ、前記遊技ユニット装着部に、その前側開口部から遊技ユニットが着脱交換可能に嵌込まれて装着された遊技機であって、
前記遊技ユニットは、周壁と後壁を有して前方に開口する箱形状に形成された収納ボックスに、回転図柄表示装置、演出表示装置、回路基板としての主制御基板を収納した主制御基板ボックス、及びこれらに加えて他の装置及び／又は他の回路基板が、少なくとも前記各装置の接続部及び前記各回路基板の接続部を収納した状態で組み付けられて一つにユニット化され、
前記収納ボックス内に、前記回転図柄表示装置、前記演出表示装置、前記主制御基板、及びこれらに加えて他の装置及び／又は他の回路基板を電気的に接続するための複数の接続線が配線され、
前記本体枠側に配置された各種装置及び／又は各種回路基板と、前記遊技ユニット側の各種装置及び／又は各種回路基板とを接続するために、前記遊技ユニット装着部と、前記遊技ユニットとの相互には、前記遊技ユニット装着部の前側開口部から遊技ユニットが嵌込まれる動作によって接続される本体枠側コネクタと遊技ユニット側コネクタとがそれぞれ配設されていることを特徴とする遊技機。
【請求項２】
請求項１に記載の遊技機であって、
収納ボックス内には、演出表示装置及び主制御基板にそれぞれ接続されかつ前記主制御基板から伝達される信号に基づいて少なくとも前記演出表示装置を制御する回路基板としての周辺制御基板を収納した周辺制御基板ボックスが収納されていることを特徴とする遊技機。
【請求項３】
請求項１又は２に記載の遊技機であって、
収納ボックス内には、仕切壁によって仕切られた空間部が形成され、この空間部を収納部として所定の回路基板ボックスが収納されていることを特徴とする遊技機。
【請求項４】
請求項１〜３のいずれか一項に記載の遊技機であって、
収納ボックス内には、本体枠側の各種装置及び／又は各種回路基板と、遊技ユニット側の各種装置及び／又は各種回路基板とを接続するために、遊技ユニット装着部の本体枠側コネクタに接続可能な遊技ユニット側コネクタが配設された中継基板が設けられ、
前記中継基板には、前記収納ボックス内に配線された接続線の端末コネクタが接続されるコネクタ接続部が複数個配設されていることを特徴とする遊技機。
【手続補正書】
【提出日】平成20年12月10日(2008.12.10)
【手続補正１】
【補正対象書類名】特許請求の範囲
【補正対象項目名】全文
【補正方法】変更
【補正の内容】
【特許請求の範囲】
【請求項１】
遊技球が転動する遊技領域を形成する遊技盤と、前記遊技盤の遊技領域を視認することができる窓部を有する前面枠セットとを備え、前記遊技領域内には構成物が遊技盤面から窓部側に突出するように設けられている遊技機において、
前記遊技領域内において、不正対象となる構成物と前記遊技盤の側方との間で、前記窓部に接当して前記窓部との間を閉塞する防御部材が設けられていることを特徴とする遊技機。
【請求項２】
前記防御部材が前記遊技領域内の前記構成物の表面から前記窓部に向けて突出するように設けられている請求項１に記載の遊技機。
【請求項３】
前記防御部材が圧縮変形可能な弾性材から成り、且つ、前面枠セットの閉鎖によって前記窓部で弾性圧縮変形され、且つ、前記前面枠セットの開放側への不正操作による引っ張りによって生じる前記窓部からの離間をカバーする弾性復元変形が可能な寸法に構成されている請求項１又は２に記載の遊技機。
【請求項４】
前記防御部材が、前記窓部に対して前記防御部材の上面部で面接触するよう構成されると共に前記窓部との非接触状態において、前記上面部の前記遊技領域の外側に位置する部分が前記窓部に近接するように高く形成され、前記遊技領域の中心部側に位置する部分が低くなるように傾斜して形成されている請求項１，２又は３に記載の遊技機
【請求項５】
前記遊技領域に設けられた始動口の上方で、夫々が前記始動口と略同一の距離をあけて前記構成物としての２本の命釘が設けられ、該２本の命釘よりも広幅の間隔を有する正面視Ｕ字状の前記防御部材が前記始動口を囲むように配置されることにより該防御部材のＵ字状の両上端部が前記２本の命釘に近接している請求項１〜４のいずれか一項に記載の遊技機。
【手続補正書】
【提出日】平成20年12月10日(2008.12.10)
【手続補正１】
【補正対象書類名】特許請求の範囲
【補正対象項目名】全文
【補正方法】変更
【補正の内容】
【特許請求の範囲】
【請求項１】
遊技球が転動する遊技領域を形成する遊技盤と、前記遊技盤の前記遊技領域を視認することができる窓部を有する前面枠セットとを備え、前記遊技領域内には、遊技球の挙動に変化を与える少なくとも二つの構成物が遊技盤面から窓部側に突出するように設けられている遊技機において、
前記遊技領域内において、前記窓部に接当して前記窓部と前記構成物との間を閉塞する防御部材が、前記少なくとも二つの構成物の表面を渡るように設けられていることを特徴とする遊技機。
【請求項２】
前記少なくとも二つの構成物が、前記遊技領域の外周構成体の内周に沿って設けられ、前記防御部材がそれらの構成物の遊技領域外側部分の上面を渡るように、且つ、遊技領域の略下方半分に亘って円弧状に設けられている請求項１に記載の遊技機。
【請求項３】
前記少なくとも二つの構成物と、前記防御部材とによって遊技球の通過を許す通路が構成されている請求項１又は２に記載の遊技機。
【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
角層細胞画像の色調整方法であって、あらかじめ角層細胞の染色標本の画像の標本集団と、角層細胞の非染色拡大画像の標本集団とを比較し、ＲＧＢの変換方式を作成し、皮膚の角層細胞の状態を拡大イメージ画像として取り込み、該画像の画素ごとのＲＧＢ値を前記変換方式に従って変換し、変換された各ＲＧＢ値によって疑似カラー表示を行うことを特徴とする、角層細胞の色調整方法。
【請求項２】
前記変換方式が、変換式、変換表又は変換図を用いることを特徴とする、請求項１に記載の角層細胞の色調整方法。
【請求項３】
前記角層細胞の状態が、角層の剥がれ具合、角層細胞の面積、及び／又は角層細胞の配列の規則性であることを特徴とする、請求項１又は２に記載の角層細胞の色調整方法。
【請求項４】
請求項１〜３の何れかに記載の色調整方法を用いることを特徴とする、疑似カラー表示された角層細胞の画像。
【請求項５】
前記変換方式は以下の変換式であることを特徴とする請求項１または２記載の角層細胞の色調整方法。
Ｒ＝３.Ｅ−０５ｒ3−０．００８５ｒ2−０．４８００ｒ＋２５５
Ｇ＝３.Ｅ−０５ｇ3−０．０１２６ｇ2＋０．２８７９ｇ＋２５５
Ｂ＝４.Ｅ−０６ｂ3−０．００２２ｂ2＋０．０７５９ｂ＋２５５
（但し、ｒ、ｇ、ｂは入力Ｒ，Ｇ、Ｂ値を示す）
【請求項６】
コンピュータを用いた角層細胞画像の色調整方法であって、
記憶装置内にあらかじめ角層細胞の染色標本の画像の標本集団データベースを有しており、前記コンピュータの中央処理装置によって、前記標本集団データベースから読み出した染色標本の画像と、イメージ画像として取り込んだ角層細胞の非染色拡大画像の標本集団とを比較して以下のＲＧＢの変換式を作成し、
Ｒ＝３.Ｅ−０５ｒ3−０．００８５ｒ2−０．４８００ｒ＋２５５
Ｇ＝３.Ｅ−０５ｇ3−０．０１２６ｇ2＋０．２８７９ｇ＋２５５
Ｂ＝４.Ｅ−０６ｂ3−０．００２２ｂ2＋０．０７５９ｂ＋２５５
（但し、ｒ、ｇ、ｂは入力Ｒ，Ｇ、Ｂ値を示す）
皮膚の角層細胞の状態を拡大イメージ画像として取り込み、当該拡大イメージ画像の画素ごとのＲＧＢ値を前記変換式に従って変換し、前記で得られた変換結果の各ＲＧＢ値によって表示装置に疑似カラー表示を行う、コンピュータを用いた角層細胞の色調整方法。
【手続補正２】
【補正対象書類名】明細書
【補正対象項目名】０００８
【補正方法】変更
【補正の内容】
【０００８】
（１）  角層細胞画像の色調整方法であって、あらかじめ角層細胞の染色標本の画像の標本集団と、角層細胞の非染色拡大画像の標本集団とを比較し、ＲＧＢの変換方式を作成し、皮膚の角層細胞の状態を拡大イメージ画像として取り込み、該画像の画素ごとのＲＧＢ値を前記変換方式に従って変換し、変換された各ＲＧＢ値によって疑似カラー表示を行うことを特徴とする、角層細胞の色調整方法。
（２）  前記変換方式が、変換式、変換表又は変換図を用いることを特徴とする、（１）に記載の角層細胞の色調整方法。
（３）  前記角層細胞の状態が、角層の剥がれ具合、角層細胞の面積、及び／又は角層細胞の配列の規則性であることを特徴とする、（１）又は（２）に記載の角層細胞の色調整方法。
（４）  （１）〜（３）の何れかに記載の色調整方法を用いることを特徴とする、疑似カラー表示された角層細胞の画像。
（５）  前記変換方式は以下の変換式であることを特徴とする（１）または（２）記載の角層細胞の色調整方法。
Ｒ＝３.Ｅ−０５ｒ3−０．００８５ｒ2−０．４８００ｒ＋２５５
Ｇ＝３.Ｅ−０５ｇ3−０．０１２６ｇ2＋０．２８７９ｇ＋２５５
Ｂ＝４.Ｅ−０６ｂ3−０．００２２ｂ2＋０．０７５９ｂ＋２５５
（但し、ｒ、ｇ、ｂは入力Ｒ，Ｇ、Ｂ値を示す）
（６）  コンピュータを用いた角層細胞画像の色調整方法であって、
記憶装置内にあらかじめ角層細胞の染色標本の画像の標本集団データベースを有しており、前記コンピュータの中央処理装置によって、前記標本集団データベースから読み出した染色標本の画像と、イメージ画像として取り込んだ角層細胞の非染色拡大画像の標本集団とを比較して以下のＲＧＢの変換式を作成し、
Ｒ＝３.Ｅ−０５ｒ3−０．００８５ｒ2−０．４８００ｒ＋２５５
Ｇ＝３.Ｅ−０５ｇ3−０．０１２６ｇ2＋０．２８７９ｇ＋２５５
Ｂ＝４.Ｅ−０６ｂ3−０．００２２ｂ2＋０．０７５９ｂ＋２５５
（但し、ｒ、ｇ、ｂは入力Ｒ，Ｇ、Ｂ値を示す）
皮膚の角層細胞の状態を拡大イメージ画像として取り込み、当該拡大イメージ画像の画素ごとのＲＧＢ値を前記変換式に従って変換し、前記で得られた変換結果の各ＲＧＢ値によって表示装置に疑似カラー表示を行う、コンピュータを用いた角層細胞の色調整方法。
【手続補正３】
【補正対象書類名】明細書
【補正対象項目名】００１５
【補正方法】変更
【補正の内容】
【００１５】
前記変換式は、以下の定義された式を用いることが好ましい。このものは前記工程１の結果得られたものである。
出力Ｒ＝３.Ｅ−０５ｒ3−０．００８５ｒ2−０．４８００ｒ＋２５５
出力Ｇ＝３.Ｅ−０５ｇ3−０．０１２６ｇ2＋０．２８７９ｇ＋２５５
出力Ｂ＝４.Ｅ−０６ｂ3−０．００２２ｂ2＋０．０７５９ｂ＋２５５
但し、ｒ、ｇ、ｂは入力Ｒ，Ｇ、Ｂ値を示す。
【手続補正４】
【補正対象書類名】明細書
【補正対象項目名】００２２
【補正方法】変更
【補正の内容】
【００２２】
実施例１において、被験者を１０４名に増加させ、本発明の測定精度を詳細に検討した。角層細胞面積は、三谷商事（株）のＷｉｎＲＯＯＦ（登録商標）にて計測し、角層細胞の剥がれ具合及び配列規則性は、標準化された評価方式に従い訓練された専門の３名の評価者が４段階及び５段階の目視評価を実施した。
【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
フェーズロックループ（ＰＬＬ）回路網であって、
第１の比較的広い周波数の範囲内の実質的に全ての周波数において動作可能な第１のＰＬＬ回路と、
第２の比較的狭い周波数の範囲内の実質的に全ての周波数において動作可能な第２のＰＬＬ回路であって、該第２の範囲は該第１の範囲に含まれる、第２のＰＬＬ回路と、
該第２のＰＬＬ回路の出力信号の周波数を分割するための周波数分割器回路網と、
該第１のＰＬＬ回路の出力信号、該第２のＰＬＬ回路の出力信号、または、該周波数分割器回路網の出力信号のいずれかを選択するための経路指定回路網と
を備えている、回路網。
【請求項２】
第３の比較的狭い周波数の範囲内の実質的に全ての周波数において動作可能な第３のＰＬＬ回路をさらに備え、該第３の範囲は前記第１の範囲に含まれる、請求項１に記載の回路網。
【請求項３】
前記第３の範囲は、少なくとも部分的に前記第２の範囲と異なる、請求項２に記載の回路網。
【請求項４】
前記周波数分割器回路網は、前記第２のＰＬＬ回路の前記出力信号の前記周波数を２で割る、請求項１に記載の回路網。
【請求項５】
前記周波数分割器回路網は、前記第２のＰＬＬ回路の前記出力信号の前記周波数を４で割る、請求項１に記載の回路網。
【請求項６】
前記周波数分割器回路網は、前記第２のＰＬＬ回路の前記出力信号の前記周波数を８で割る、請求項１に記載の回路網。
【請求項７】
トランシーバ回路網をさらに備え、前記経路指定回路網は、前記第１のＰＬＬ回路の前記出力信号または前記第２のＰＬＬ回路の前記出力信号のいずれかを、該トランシーバ回路網による使用のために選択することを可能にする、請求項１に記載の回路網。
【請求項８】
前記第１のＰＬＬ回路のための第１の基準クロック信号源と、前記第２のＰＬＬ回路のための第２の基準クロック信号源とをさらに備える、請求項１に記載の回路網。
【請求項９】
前記第１および前記第２の基準クロック信号源は、各々異なる第１および第２の周波数を有する、請求項８に記載の回路網。
【請求項１０】
前記第１の範囲は約６２２Ｍｂｐｓ〜約１２Ｇｐｂｓであり、前記第２の範囲は約８Ｇｂｐｓ〜約１０Ｇｐｂｓである、請求項１に記載の回路網。
【請求項１１】
前記第１の範囲は約６２２Ｍｂｐｓ〜約１２Ｇｐｂｓであり、前記第２の範囲は約８Ｇｂｐｓ〜約１０Ｇｐｂｓであり、前記第３の範囲は約９．９５Ｇｂｐｓ〜約１２Ｇｐｂｓである、請求項２に記載の回路網。
【請求項１２】
前記複数のＰＬＬ回路のうちの少なくとも一つの回路のための電源回路網と、
該電源回路網からの電力を該複数のＰＬＬ回路のうちの少なくとも一つの回路に選択的に印加するための制御回路網と
をさらに備える、請求項１に記載の回路網。
【請求項１３】
前記制御回路網は、該制御回路網が前記電源回路網からの電力を前記複数のＰＬＬ回路のうちの少なくとも一つの回路に印加するか否かに関してプログラム可能である、請求項１２に記載の回路網。
【請求項１４】
回路網であって、
複数のトランシーバチャネルと、
複数のフェーズロックループ（ＰＬＬ）回路であって、該複数のＰＬＬ回路の各々が、該ＰＬＬ回路とそれぞれ関連した周波数の範囲内の実質的に全ての周波数において動作可能である、複数のフェーズロックループ（ＰＬＬ）回路と、
該複数のＰＬＬ回路の各々からの信号を該複数のトランシーバチャネルのうちの任意のトランシーバチャネルへ選択的にルーティングするための経路指定回路網であって、該複数のＰＬＬ回路は、少なくとも第１および第２のＰＬＬ回路を含み、該第１のＰＬＬ回路はリングベースの電圧制御オシレータ（ＶＣＯ）回路網を含み、該第２のＰＬＬ回路はＬＣタンクオシレータベースのＶＣＯ回路網を含む、経路指定回路網と
を備えている、回路網。
【請求項１５】
前記経路指定回路網は、前記ルーティングを選択するようにプログラム可能である、請求項１４に記載の回路網。
【請求項１６】
前記第２のＰＬＬ回路の範囲は前記第１のＰＬＬ回路の範囲内である、請求項１４に記載の回路網。
【請求項１７】
フェーズロックループ（ＰＬＬ）回路網であって、
リングベースの電圧制御オシレータ（ＶＣＯ）回路網を含み、第１の比較的広い周波数の範囲内の実質的に全ての周波数において動作可能な第１のＰＬＬ回路と、
ＬＣタンクオシレータベースのＶＣＯ回路網を含み、第２の比較的狭い周波数の範囲内の実質的に全ての周波数において動作可能な第２のＰＬＬ回路であって、該第２の範囲は、該第１の範囲の上限に近くにおいて該第１の範囲に含まれる、第２のＰＬＬ回路と、
該第１のＰＬＬ回路の出力信号と該第２のＰＬＬ回路の出力信号のうちの任意の信号を選択するための経路指定回路網と
を備えている、回路網。
【請求項１８】
前記第２のＰＬＬ回路の出力信号の周波数を分割するための周波数分割器回路網をさらに備えている、請求項１７に記載の回路網。
【請求項１９】
前記周波数分割器回路網は周波数を２で割る、請求項１８に記載の回路網。
【請求項２０】
前記経路指定回路網は、前記第１のＰＬＬ回路の出力信号、前記第２のＰＬＬ回路の出力信号、または、前記周波数分割器回路網の出力信号のうちの任意の信号を、使用のために選択する、請求項１９に記載の回路網。
【請求項２１】
トランシーバ回路網をさらに備え、前記経路指定回路網は、前記使用のために選択された信号を該トランシーバ回路網に印加する、請求項２０に記載の回路網。
【請求項２２】
前記トランシーバ回路網は、複数のトランシーバ回路網のうちの一つであり、前記経路指定回路網は、複数のトランシーバのうちの異なるトランシーバによって使用するための前記信号のうちの異なる信号の選択を可能にする、請求項２１に記載の回路網。
【請求項２３】
回路網であって、
複数のトランシーバチャネルと、
第１、第２および第３のフェーズロックループ（ＰＬＬ）回路であって、該第１のＰＬＬ回路は、第１の比較的広い周波数の範囲内の実質的に全ての周波数において動作可能であり、該第２のＰＬＬ回路は、該第１の範囲内にある第２の比較的狭い周波数の範囲内の実質的に全ての周波数において動作可能であり、該第３のＰＬＬ回路は、該第１の範囲内にあるが該第２の範囲とは異なる第３の比較的狭い周波数の範囲内の実質的に全ての周波数において動作可能である、第１、第２および第３のフェーズロックループ（ＰＬＬ）回路と、
該複数のＰＬＬ回路のうちの任意のＰＬＬ回路の出力信号を該複数のトランシーバチャネルのうちの任意のトランシーバチャネルに印加することを可能にするための経路指定回路網と
を備えている、回路網。
【請求項２４】
前記経路指定回路網は、該経路指定回路網がトランシーバチャネルへ印加するための信号を選択する方法に関して、プログラム可能である、請求項２３に記載の回路網。
【手続補正書】
【提出日】平成21年2月2日(2009.2.2)
【手続補正１】
【補正対象書類名】明細書
【補正対象項目名】発明の名称
【補正方法】変更
【補正の内容】
【発明の名称】携帯電話装置
【手続補正２】
【補正対象書類名】特許請求の範囲
【補正対象項目名】全文
【補正方法】変更
【補正の内容】
【特許請求の範囲】
【請求項１】
前ケースと、前記前ケースと反対に位置する後ケースと、を備える筐体と、
前記前ケースに配置された操作部と、
回路基板と、
前記操作部に沿って前記回路基板に並設された電池と、
前記操作部と前記回路基板との間にあり、かつ前記操作部と前記電池との間にある板状のスペーサと、
前記回路基板の前記後ケース側に搭載され、前記電池と当接する電池コネクタと、
前記回路基板の前記前ケース側に形成された第一の回路部と、
前記回路基板の前記後ケース側に形成された第二の回路部と、
前記後ケースと前記第二の回路部との間に設けられたメディアカード用コネクタと、
を備える携帯電話装置。
【請求項２】
請求項１記載の携帯電話装置であって、
前記第二の回路部は無線回路部である携帯電話装置。
【手続補正３】
【補正対象書類名】明細書
【補正対象項目名】０００７
【補正方法】変更
【補正の内容】
【０００７】
本発明の携帯電話装置は、前ケースと、前記前ケースと反対に位置する後ケースと、を備える筐体と、前記前ケースに配置された操作部と、回路基板と、前記操作部に沿って前記回路基板に並設された電池と、前記操作部と前記回路基板との間にあり、かつ前記操作部と前記電池との間にある板状のスペーサと、前記回路基板の前記後ケース側に搭載され、前記電池と当接する電池コネクタと、前記回路基板の前記前ケース側に形成された第一の回路部と、前記回路基板の前記後ケース側に形成された第二の回路部と、前記後ケースと前記第二の回路部との間に設けられたメディアカード用コネクタと、を備える。
【手続補正４】
【補正対象書類名】明細書
【補正対象項目名】０００８
【補正方法】変更
【補正の内容】
【０００８】
本発明は、回路基板の両面に第一の回路部と第二の回路部を備え第二の回路部と後ケースとの間にメディアカード用コネクタを備えるとともに、操作部に沿って回路基板と併設する電池を備え回路基板の後ケース側に搭載された電池コネクタで電池と当接するようにすることで、携帯電話装置を小型・薄型化することができる。
【手続補正５】
【補正対象書類名】明細書
【補正対象項目名】０００９
【補正方法】削除
【補正の内容】
【手続補正書】
【提出日】平成20年12月12日(2008.12.12)
【手続補正１】
【補正対象書類名】特許請求の範囲
【補正対象項目名】請求項１
【補正方法】変更
【補正の内容】
【請求項１】
酢酸水溶液を溶媒として魚節類を抽出することを特徴とする魚節類エキスの製造方法。
【手続補正書】
【提出日】平成21年1月21日(2009.1.21)
【手続補正１】
【補正対象書類名】特許請求の範囲
【補正対象項目名】請求項１
【補正方法】変更
【補正の内容】
【請求項１】
シャンプーボールにおける被施術者の首後ろ部を載せる凹部と反対側の縁の内周面に段部を形成し、この段部の両端に温度調節摘みと止水摘みを取付け、また、中央部にシャワーヘッドを引き出し可能に配置すると共に前記温度調節摘み、止水摘みおよびシャワーヘッドの上面がシャンプーボールの縁より上方に突出しないようにしたことを特徴とするシャンプーボール装置。
【手続補正２】
【補正対象書類名】明細書
【補正対象項目名】０００５
【補正方法】変更
【補正の内容】
【０００５】
本発明のシャンプーボール装置は前記した目的を達成せんとするもので、請求項１の手段は、シャンプーボールにおける被施術者の首後ろ部を載せる凹部と反対側の縁の内周面に段部を形成し、この段部の両端に温度調節摘みと止水摘みを取付け、また、中央部にシャワーヘッドを引き出し可能に配置すると共に前記温度調節摘み、止水摘みおよびシャワーヘッドの上面がシャンプーボールの縁より上方に突出しないようにしたことを特徴とする。
【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
取付対象に開閉可能に支持される支持部を有する遊技機本体と、
電子部品を搭載すると共に遊技に関する制御を司る制御基板を、基板ケースに収容してなる複数の制御装置と、
前記遊技機本体の背面側に設けられ、前記複数の制御装置に含まれる第１制御装置を前記遊技機本体と離間させた状態で装着し、前記遊技機本体と前記第１制御装置との間に隙間領域を形成する台座部材と、
を備え、前記遊技機本体の背面側に各種部品が配設された遊技機において、
前記台座部材は、前記第１制御装置を、前記遊技機本体の背面から離間して配置され前記複数の制御装置に含まれる第２制御装置と前記遊技機本体の前後方向において同じ位置となるよう配置するものであり、
前記台座部材の前記遊技機本体と相対する側には、前記隙間領域を細分化する細分化部を、少なくとも前記隙間領域に位置する部品を避けながら当該部品に沿うようにして設けたことを特徴とする遊技機。
【請求項２】
取付対象に開閉可能に支持される支持部を有する遊技機本体と、
電子部品を搭載すると共に遊技に関する制御を司る制御基板を、基板ケースに収容してなる複数の制御装置と、
前記遊技機本体の背面側に設けられ、前記複数の制御装置に含まれる第１制御装置を前記遊技機本体と離間させた状態で装着し、前記遊技機本体と前記第１制御装置との間に隙間領域を形成する台座部材と、
を備え、前記遊技機本体の背面側に各種部品が配設された遊技機において、
前記台座部材は、前記第１制御装置を、前記遊技機本体の背面から離間して配置され前記複数の制御装置に含まれる第２制御装置と前記遊技機本体の前後方向において同じ位置となるよう配置するものであり、
前記台座部材の前記遊技機本体と相対する側には、前記隙間領域を細分化する細分化部を、少なくとも前記隙間領域に位置する部品に至るようにして設けたことを特徴とする遊技機。
【請求項３】
前記細分化部と前記台座部材とを一体成形したことを特徴とする請求項１又は２に記載の遊技機。
【請求項４】
取付対象に開閉可能に支持される支持部を有する遊技機本体と、
電子部品を搭載すると共に遊技に関する制御を司る制御基板を、基板ケースに収容してなる複数の制御装置と、
前記遊技機本体の背面側に設けられ、前記複数の制御装置に含まれる第１制御装置を前記遊技機本体と離間させた状態で装着し、前記遊技機本体と前記第１制御装置との間に隙間領域を形成する台座部材と、
を備え、前記遊技機本体の背面側に各種部品が配設された遊技機において、
前記台座部材は、前記第１制御装置を、前記遊技機本体の背面から離間して配置され前記複数の制御装置に含まれる第２制御装置と前記遊技機本体の前後方向において同じ位置となるよう配置するものであり、
前記台座部材の前記遊技機本体と相対する側には、前記隙間領域を細分化する複数の仕切り板部を、少なくとも前記隙間領域に位置する部品を避けながら当該部品に沿うように設けたことを特徴とする遊技機。
【請求項５】
前記複数の仕切り板部を格子状に設けたことを特徴とする請求項４に記載の遊技機。
【請求項６】
取付対象に開閉可能に支持される支持部を有する遊技機本体と、
電子部品を搭載すると共に遊技に関する制御を司る制御基板を、基板ケースに収容してなる複数の制御装置と、
前記遊技機本体の背面側に設けられ、前記複数の制御装置に含まれる第１制御装置を前記遊技機本体と離間させた状態で装着し、前記遊技機本体と前記第１制御装置との間に隙間領域を形成する台座部材と、
を備え、前記遊技機本体の背面側に各種部品が配設された遊技機において、
前記台座部材は、前記第１制御装置を、前記遊技機本体の背面から離間して配置され前記複数の制御装置に含まれる第２制御装置と前記遊技機本体の前後方向において同じ位置となるよう配置するものであり、
前記台座部材の前記遊技機本体と相対する側には、前記遊技機本体に向けて延びる複数の柱部材を、少なくとも前記隙間領域に位置する部品を避けながら当該部品に沿うよう、点在させて設けたことを特徴とする遊技機。
【手続補正書】
【提出日】平成20年12月3日(2008.12.3)
【手続補正１】
【補正対象書類名】特許請求の範囲
【補正対象項目名】全文
【補正方法】変更
【補正の内容】
【特許請求の範囲】
【請求項１】
外部電力に基づいて基準電位に対する所定の電圧で駆動電力を供給する電源回路、及び前記外部電力の一部をバックアップ電力として貯留し、前記バックアップ電力に基づいてバックアップ駆動電力を供給するバックアップ回路を備え、かつ、第１基準電位用接触子と、前記バックアップ駆動電力を出力する第１バックアップ駆動電力用接触子と、前記第１基準電位用接触子と前記第１バックアップ駆動電力用接触子とを固定する第１ハウジングとを含む第１コネクタを備えた電源装置と、
第１コネクタ接続体と、
少なくとも前記第１コネクタ接続体を介して前記第１基準電位用接触子と電気的に接続される第２基準電位用接触子、少なくとも前記第１コネクタ接続体を介して前記第１バックアップ駆動電力用接触子と電気的に接続される第２バックアップ駆動電力用接触子、及び第２基準電位用接触子と前記第２バックアップ駆動電力用接触子とを固定する第２ハウジングを含む第２コネクタを備えた制御装置と、
を備えた遊技機であって、
前記第１基準電位用接触子及び前記第１バックアップ駆動電力用接触子はメス型接触子であり、
前記第１ハウジングは前記第１基準電位用接触子の前方に形成された第１誘導孔と前記第１バックアップ駆動電力用接触子の前方に形成された第２誘導孔とを有するメス型ハウジングであり、
前記第１基準電位用接触子の先端が、前記第１バックアップ駆動電力用接触子の先端より前記第１ハウジングの前面側へ突出していることを特徴とする遊技機。
【請求項２】
外部電力に基づいて基準電位に対する所定の電圧で駆動電力を供給する電源回路、及び前記外部電力の一部をバックアップ電力として貯留し、前記バックアップ電力に基づいてバックアップ駆動電力を供給するバックアップ回路を備え、かつ、第１基準電位用接触子と、前記バックアップ駆動電力を出力する第１バックアップ駆動電力用接触子と、前記第１基準電位用接触子と前記第１バックアップ駆動電力用接触子とを固定する第１ハウジングとを含む第１コネクタを備えた電源装置と、
第１コネクタ接続体と、
少なくとも前記第１コネクタ接続体を介して前記第１基準電位用接触子と電気的に接続される第２基準電位用接触子、少なくとも前記第１コネクタ接続体を介して前記第１バックアップ駆動電力用接触子と電気的に接続される第２バックアップ駆動電力用接触子、及び第２基準電位用接触子と前記第２バックアップ駆動電力用接触子とを固定する第２ハウジングを含む第２コネクタを備えた制御装置と、
を備えた遊技機であって、
前記第２基準電位用接触子及び前記第２バックアップ駆動電力用接触子はメス型接触子であり、前記第２ハウジングは前記第２基準電位用接触子の前方に形成された第３誘導孔と前記第２バックアップ駆動電力用接触子の前方に形成された第４誘導孔とを有するメス型ハウジングであり、
前記第２基準電位用接触子の先端が、前記第２バックアップ駆動電力用接触子の先端より前記第２ハウジングの前面側へ突出していることを特徴とする遊技機。
【請求項３】
外部電力に基づいて基準電位に対する所定の電圧で駆動電力を供給する電源回路、及び前記外部電力の一部をバックアップ電力として貯留し、前記バックアップ電力に基づいてバックアップ駆動電力を供給するバックアップ回路を備え、かつ、第１基準電位用接触子と、前記バックアップ駆動電力を出力する第１バックアップ駆動電力用接触子と、前記第１基準電位用接触子と前記第１バックアップ駆動電力用接触子とを固定する第１ハウジングとを含む第１コネクタを備えた電源装置と、
第１コネクタ接続体と、
第２基準電位用接触子、第２バックアップ駆動電力用接触子、及び前記第２基準電位用接触子と前記第２バックアップ駆動電力用接触子とを固定する第２ハウジングを含む第２コネクタを備えた制御装置と、
第２コネクタ接続体と、
第３基準電位用接触子と第３バックアップ駆動電力用接触子とを固定する第３ハウジングを含む第３コネクタ、第４基準電位用接触子と第４バックアップ駆動電力用接触子とを固定する第４ハウジングを含む第４コネクタ、及び前記第３基準電位用接触子と前記第４基準電位用接触子との電気的な接続を担い且つ前記第３バックアップ駆動電力用接触子と前記第４バックアップ駆動電力用接触子との電気的な接続を担う中継回路を有する中継装置とを備え、
前記第２基準電位用接触子は、少なくとも前記第１コネクタ接続体、前記中継装置、及び前記第２コネクタ接続体を介して前記第１基準電位用接触子と電気的に接続され、
前記第２バックアップ駆動電力用接触子は、少なくとも前記第１コネクタ接続体、前記中継装置、及び前記第２コネクタ接続体を介して前記第１バックアップ駆動電力用接触子と電気的に接続される遊技機であって、
前記第３基準電位用接触子及び前記第３バックアップ駆動電力用接触子はメス型接触子であり、
前記第３ハウジングは前記第３基準電位用接触子の前方に形成された第５誘導孔と前記第３バックアップ駆動電力用接触子の前方に形成された第６誘導孔とを有するメス型ハウジングであり、
前記第３基準電位用接触子の先端が、前記第３バックアップ駆動電力用接触子の先端より前記第３ハウジングの前面側へ突出していることを特徴とする遊技機。
【請求項４】
第１の配線の一端に固定される第１配線用接触子と、
前記第１の配線と異なる第２の配線の一端に固定される第２配線用の接触子と、
前記第１配線用の接触子と前記第２配線用の接触子とを固定するハウジングと、
を含むコネクタであって、
前記第１配線用の接触子及び前記第２配線用の接触子が、メス型接触子であり、
前記ハウジングが、前記第１配線用の接触子の前方に形成された第１誘導孔と前記第２配線用の接触子の前方に形成された第２誘導孔とを有するメス型ハウジングであり、
前記第１配線用の接触子の先端が、前記第２配線用の接触子の先端より前記ハウジングの前面側に突出していることを特徴とするコネクタ。
【手続補正書】
【提出日】平成20年12月3日(2008.12.3)
【手続補正１】
【補正対象書類名】特許請求の範囲
【補正対象項目名】全文
【補正方法】変更
【補正の内容】
【特許請求の範囲】
【請求項１】
外部電力に基づいて基準電位に対する所定の電圧で駆動電力を供給する電源回路、前記外部電力の一部をバックアップ電力として貯留し、前記バックアップ電力に基づいてバックアップ駆動電力を供給するバックアップ回路、及び、第１基準電位用接触子と前記バックアップ駆動電力を出力する第１バックアップ駆動電力用接触子とを含む第１コネクタを備えた電源装置と、
第１ケーブルと、前記第１ケーブルの一端に固定された第１接触子と、前記第１ケーブルの他端に固定された第２接触子と、第２ケーブルと、前記第２ケーブルの一端に固定された第３接触子と、前記第２ケーブルの他端に固定された第４接触子と、前記第１接触子と前記第３接触子とを固定する第１ハウジングと、前記第２接触子と前記第４接触子とを固定する第２ハウジングとを含む第１ワイヤハーネスと、
少なくとも前記第１ケーブル、前記第１接触子及び前記第２接触子を介して、前記第１基準電位用接触子と電気的に接続される第２基準電位用接触子と、少なくとも前記第２ケーブル、前記第３接触子及び前記第４接触子を介して、前記第１バックアップ駆動電力用接触子と電気的に接続される第２バックアップ駆動電力用接触子とを含む第２コネクタを備える制御装置と、
を備えた遊技機であって、
前記第１接触子及び前記第３接触子が、メス型接触子であり、
前記第１ハウジングが、前記第１接触子の前方に形成された第１誘導孔と、前記第３接触子の前方に形成された第２誘導孔とを有するメス型ハウジングであり、
前記第１接触子の先端が、前記第３接触子の先端より前記第１ハウジングの先端側に突出していることを特徴とする遊技機。
【請求項２】
前記第１接触子の長さが、前記第３接触子の長さより長い請求項１に記載の遊技機。
【請求項３】
前記第１コネクタが、前記駆動電力を出力する第１駆動電力用接触子を備え、
前記第１ワイヤハーネスが、第３ケーブルと、前記第３ケーブルの一端に固定され、かつ前記第１ハウジングに固定された第５接触子と、前記第３ケーブルの他端に固定され、かつ前記第２ハウジングに固定された第６接触子とを含み、
前記第２コネクタが、少なくとも前記第３ケーブル、前記第５接触子及び前記第６接触子を介して、前記第１駆動電力用接触子と電気的に接続される第２駆動電力用接触子を備え、
前記第５接触子が、メス型接触子である請求項１又は２に記載の遊技機。
【請求項４】
前記第１ハウジングの先端側の表面が、実質的に平坦である請求項１、２又は３に記載の遊技機。
【請求項５】
前記第２誘導孔の長さが、前記第１誘導孔の長さより長く、
前記第１誘導孔の長さと前記第２の誘導孔の長さとの差と前記第１ハウジングの接続方向に沿った前記第１接触子の先端位置と前記第２接触子の先端位置との差が、実質的に同一である請求項４に記載の遊技機。
【請求項６】
第１の配線の一端に固定される第１配線用接触子と、
前記第１の配線と異なる第２の配線の一端に固定される第２配線用の接触子と、
前記第１配線用の接触子と前記第２配線用の接触子とを固定するハウジングと、
を含むコネクタであって、
前記第１配線用の接触子及び前記第２配線用の接触子が、メス型接触子であり、
前記ハウジングが、前記第１配線用の接触子の前方に形成された第１誘導孔と前記第２配線用の接触子の前方に形成された第２誘導孔とを有するメス型ハウジングであり、
前記第１配線用の接触子の先端が、前記第２配線用の接触子の先端より前記ハウジングの前面側に突出していることを特徴とするコネクタ。
【手続補正書】
【提出日】平成20年12月12日(2008.12.12)
【手続補正１】
【補正対象書類名】特許請求の範囲
【補正対象項目名】請求項１
【補正方法】変更
【補正の内容】
【請求項１】
基端部と、前記基端部より延出し自己拡開性により開腕する両腕部とを有する本体と、前記本体に対して進退可能に装着された締付け部材と、を備え、
前記両腕部は、それぞれ、前記基端部より延出する湾曲部と、前記湾曲部より先端側へ延出する略直線状の把持部と、該把持部の先端に設けられた本体先端爪部と、を含み、
前記締付け部材が前記基端部側へ移動したときに前記両腕部が開腕するとともに、前記締付け部材が前記湾曲部側へ移動したときに前記両腕部が閉腕するように構成され、
前記両腕部に設けられた前記湾曲部に、それぞれ括れ部が設けられていることを特徴とする内視鏡用クリップ。
【手続補正２】
【補正対象書類名】明細書
【補正対象項目名】００１０
【補正方法】変更
【補正の内容】
【００１０】
本発明の内視鏡用クリップは、基端部と、前記基端部より延出し自己拡開性により開腕する両腕部とを有する本体と、前記本体に対して進退可能に装着された締付け部材と、を備え、
前記両腕部は、それぞれ、前記基端部より延出する湾曲部と、前記湾曲部より先端側へ延出する略直線状の把持部と、該把持部の先端に設けられた本体先端爪部と、を含み、
前記締付け部材が前記基端部側へ移動したときに前記両腕部が開腕するとともに、前記締付け部材が前記湾曲部側へ移動したときに前記両腕部が閉腕するように構成され、
前記両腕部に設けられた前記湾曲部に、それぞれ括れ部が設けられていることを特徴とする。
【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
取付対象に開閉可能に支持される支持部を有する遊技機本体と、
遊技に関する制御を司る制御基板を基板ケースに収容してなる制御装置と、
前記遊技機本体の少なくとも一部を背面側から覆い、前記遊技機本体の背面側に取り付けられる遊技部品に遊技球が衝突することを抑制し得る被覆部材と、
前記基板ケースと前記遊技機本体の背面とを離間させた状態で前記制御装置を装着し、当該装着により前記制御装置を前記被覆部材に近づけ、前記基板ケースと前記遊技機本体の背面との間に隙間領域を形成する台座部材と、
を備え、
前記台座部材の前記遊技機本体と相対する側には、前記隙間領域を細分化する細分化部が一体形成されていることを特徴とする遊技機。
【請求項２】
前記細分化部又は前記細分化部の一部として、複数の仕切り板部を設けたことを特徴とする請求項１に記載の遊技機。
【請求項３】
前記複数の仕切り板部を格子状に設けたことを特徴とする請求項２に記載の遊技機。
【請求項４】
前記細分化部又は前記細分化部の一部として、前記遊技機本体に向けて延びる複数の柱部材を点在させて設けたことを特徴とする請求項１乃至３のいずれか１に記載の遊技機。
【手続補正書】
【提出日】平成20年11月26日(2008.11.26)
【手続補正１】
【補正対象書類名】明細書
【補正対象項目名】００２２
【補正方法】変更
【補正の内容】
【００２２】
（無線基地局の構成例）
図２は、図１中の無線基地局１００の構成例を示す機能ブロック図である。
同図において、この無線基地局１００は、送受信アンテナ１０１と、アンプ部１０２と、送受信部１０３と、ベースバンド信号処理部１０４と、アプリケーション部１０５と、伝送路インターフェース１０６から構成される。下りリンクのパケットデータについては、無線基地局１００の上位層に位置する無線制御装置３００から伝送路インターフェース１０６を介してベースバンド信号処理部１０４に入力される。ベースバンド信号処理部１０４では、再送制御（ＨＡＲＱ（ＨｙｂｒｉｄＡＲＱ）の処理や、スケジュ−リング、伝送フォーマット選択、チャネル符号化、拡散処理が行われて送受信部１０３に転送される。送受信部１０３では、ベースバンド信号処理部１０４から出力されたベースバンド信号を無線周波数帯に変換する周波数変換処理が施され、その後、アンプ部１０２で増幅されて送受信アンテナ１０１より送信される。
【手続補正２】
【補正対象書類名】明細書
【補正対象項目名】００５７
【補正方法】変更
【補正の内容】
【００５７】
また、上記実施例は、３ＧＰＰにおける高速パケット伝送方式ＨＳＤＰＡに関して記述したが、本発明は上記ＨＳＤＰＡに限定されるものではなく、その他の、移動通信システムにおける高速パケット伝送方式に適用することが可能である。例えば、３ＧＰＰのLong Term Evolutionにより提供される高速パケット伝送方式や、３ＧＰＰ２におけるｃｄｍａ２０００１×ＥＶ ＤＶやＴＤＤ方式における高速パケット伝送方式など、がその他の高速パケット伝送方式としてあげられる。また、上述した例においては、下りリンクのパケット伝送方式に適用した例を記載したが、上りリンクのパケット伝送方式に適用されてもよい。例えば、３ＧＰＰにおける上りリンクのパケット伝送方式として、ＨＳＵＰＡがある。